(57)【要約】  【課題】  櫛歯に捉えられた髪の剪断性能を損なうことなく、かつ髪を傷めずに髪梳き操作を行うことができる梳鋏を提供すること。  【解決手段】  棒刃体２００の刃縁２１１のうち、梳鋏１０の閉じ操作の際に櫛刃体１００に設けられた櫛歯１１１の先端部と重なり合う位置に凹部２１２を形成し、この凹部２１２の内部にのみ刃付けを行う。すなわち、棒刃体２００の刃縁２１１には、凹部２１２以外の部分には刃を形成せずに、櫛刃体１００の櫛歯１１１との間で髪を剪断するのに必要な部分にのみ刃を設ける。【選択図】  図１
2007244548.tif 000002
【特許請求の範囲】
【請求項１】
櫛歯と櫛溝とが交互に設けられた櫛刃体と、棒刃体とが枢着されてなる梳鋏であって、
前記棒刃体の刃縁には、前記櫛刃体と前記棒刃体とを閉じるときに前記櫛歯の少なくとも先端部と重なり合う位置に凹部が形成されており、該凹部の内部にのみ刃が形成されていることを特徴とする梳鋏。
【請求項２】
凹部の開口幅が、櫛歯の先端部の幅よりも狭く形成されていることを特徴とする請求項１記載の梳鋏。
【発明の詳細な説明】
【技術分野】
【０００１】
この発明は、理美容鋏の一種である梳鋏の改良に関するものである。
【背景技術】
【０００２】
従来、髪を梳く時には、図９に示すような梳鋏が用いられている。梳鋏は、一般に、櫛歯と櫛溝とが交互に形成された櫛刃体と、刃縁の全長に刃が形成された棒刃体とを枢着することによって形成されている。そして、この梳鋏を用いて髪をカットするときには、図１０に示すように、棒刃体の刃と櫛刃体の櫛歯の先端部との間に捉えられてカットされる髪と、棒刃体の刃と櫛刃体の櫛溝との間にできる空隙に入り込んでカットされない髪とに振り分けられて髪が梳き切られる。そして、櫛刃体と棒刃体とを閉じきったとき、すなわち、梳鋏で髪を梳き切ったときには、図１１に示すように、櫛溝にカットされなかった髪が残り、この髪を櫛溝から引き抜いて梳鋏を移動させるのである。
【０００３】
ところが、櫛溝に髪が残った状態で梳鋏を移動させようとすると、髪が棒刃体の刃に当たって髪を傷つけてしまい、これが切れ毛や枝毛の原因となる虞があった。
【０００４】
このようなカット後における梳鋏の移動操作を、髪を傷つけることなく行えるようにした梳鋏としては、例えば、棒刃体の刃縁には刃を全く形成せず、櫛歯の先端部にのみ切り刃部を形成し、刃の形成されていない棒刃体で髪を櫛歯の刃に押しつけて切断するようにした梳鋏（特許文献１参照）や、櫛刃体の櫛歯の先端部にのみ刃を形成し、棒刃体には刃を形成せずに櫛歯の先端が接触する位置に切り欠きを形成した梳鋏（特許文献２参照）が提案されている。これらの梳鋏では、棒刃体の刃縁には全く刃が形成されていないので、櫛溝に振り分けられた髪を梳鋏から引き抜く際に、髪が刃に当たって傷つけられることがない。しかし、櫛歯の先端部に設けた刃のみで髪の剪断を行うものであることから、櫛刃体と棒刃体との間に挟まれた髪の剪断は櫛歯側からしか進行せず、十分な剪断性能が確保されたものではなかった。
【特許文献１】特開２００３−１９０６７２号公報
【特許文献２】特許第２９６７２６９号公報
【発明の開示】
【発明が解決しようとする課題】
【０００５】
そこで、本発明は、櫛歯に捉えられた髪の剪断性能を損なうことなく、かつ髪を傷めずに髪梳き操作を行うことができる梳鋏を提供することを課題とするものである。
【課題を解決するための手段】
【０００６】
上記課題を解決するために、請求項１に記載した発明が採った手段は、櫛歯１１１と櫛溝１１２とが交互に設けられた櫛刃体１００と、棒刃体２００とが枢着されてなる梳鋏１０であって、棒刃体２００の刃縁２１１には、櫛刃体１００と棒刃体２００とを閉じるときに櫛歯１１１の少なくとも先端部１１１ｂと重なり合う位置に凹部２１２が形成されており、凹部２１２の内周にのみ刃２１３が形成されていることを特徴とする梳鋏１０、である。
【０００７】
一般の梳鋏では、棒刃体の刃縁の全長に亘って刃が形成されているが、本発明における梳鋏１０では、棒刃体２００の刃縁２１１のうち梳鋏１０の閉じ操作の際に櫛刃体１００に設けられた櫛歯１１１の先端部１１１ｂと重なり合う位置に凹部２１２を形成し、この凹部２１２の内部にのみ刃付けを行っている。すなわち、棒刃体２００の刃縁２１１には、この凹部２１２以外の部分には刃を形成せずに、櫛刃体１００の櫛歯１１１との間で髪を剪断するのに必要な部分にのみ刃を設けたのである。これにより、櫛溝１１２に入り込んでカットされずに残った髪が刃と接触しなくなるので、櫛溝１１２に残った髪を傷つけることなく梳鋏１０を移動させることができるようになる。
【０００８】
また、請求項２に記載の発明が採った手段は、凹部２１２の開口幅が、櫛歯１１１の先端部１１１ｂの幅よりも狭く形成されていることを特徴とする請求項１記載の梳鋏１０、である。
【０００９】
凹部２１２の開口幅を櫛歯１１１の幅よりも狭く形成することで、凹部２１２と櫛歯１１１とが重なったときに、凹部２１２が櫛歯１１１に完全に塞がれることとなるので、髪をカットした後に櫛溝１１２に残った髪を引き抜きながら移動させる際に、髪が凹部２１２に入り込むことがない。
【発明の効果】
【００１０】
本発明に係る梳鋏によれば、棒刃体の刃縁に、髪を捉えるための凹部を、梳鋏を閉じたときに櫛歯の先端と重なり合う位置に形成し、この凹部の内部にのみ刃を形成したことにより、切れ味を損なうことなく櫛歯と凹部とで捉えられた髪だけをカットできるとともに、櫛溝へと振り分けられた髪を、梳鋏を移動させて櫛溝から引き抜く際に傷つけることがない。
【発明を実施するための最良の形態】
【００１１】
本発明は、櫛刃体と、棒刃体とからなる梳き鋏であり、棒刃体の刃縁上に凹部を形成し、この凹部の内部にのみ刃を設けたことを特徴とするものである。
【００１２】
櫛刃体には、櫛歯と櫛溝とが交互に形成される。櫛歯の形状は特には限定されるものではなく、例えば、基端部から真っ直ぐに伸びた直線状に形成してもよいし、円弧状に形成してもよい。また、櫛歯の先端部についても同様であり、例えば、先端部の全体に刃付けをしてもよいし、カットされる髪を捉えやすくするための凹部や溝部を形成してもよい。また、櫛歯の間隔及び幅は、カットする髪の量に合わせて設定すればよい。
【００１３】
棒刃体には、その刃縁に凹部が形成される。この凹部は、櫛刃体の櫛歯と対向する位置、すなわち、櫛刃体と棒刃体とを閉じる操作をしたときに、櫛刃体の櫛歯の先端と重なる位置に形成される。そして、棒刃体には凹部の内部にのみ刃が形成され、一の凹部と他の凹部とに挟まれる刃縁部分には刃が形成されない。つまり、凹部に入り込んだ髪のみがカットされることとなる。
【００１４】
凹部の形状は特には限定されるものではなく、例えば、半円形状、三角形状、矩形状に形成することが考えられる。また、凹部の幅、深さは櫛歯と同様にカットされる髪の量に合わせて設定すればよいが、凹部の幅については、櫛歯の幅を超えない幅の範囲内で設定することが好ましい。凹部の幅を櫛歯の幅よりも広くすると、カット後にカットされずに残った髪を櫛溝から引き抜くときに、髪が凹部の刃と接触して傷つけられる虞があるからである。
【００１５】
以下に、本発明の実施例を図に基づいて説明する。
【実施例】
【００１６】
図１には、実施例１に係る梳鋏１０が示されており、図２には、図１における梳鋏１０のＡ−Ａ部分拡大図が示されている。梳鋏１０は、櫛刃体１００と、棒刃体２００とが枢着軸３００により枢着されてなる。櫛刃体１００は、刃部１１０と指環１２０とを備える。刃部１１０は、櫛歯１１１と櫛溝１１２とが交互に連設されている。櫛歯１１１は基端部１１１ａから先端部１１１ｂにかけて真っ直ぐに伸びた直線状に形成されている。そして、櫛歯１１１は、基端部１１１ａから先端部１１１ｂに向かうにつれてその厚みが薄くなっており、先端部１１１ｂには刃１１３が形成されている。
【００１７】
棒刃体２００は、刃部２１０と、指環２２０とを備える。棒刃体２００の刃部２１０の刃幅Ｂ−Ｂは、櫛刃体１００の刃部１１０の刃幅Ｃ−Ｃのおよそ３分の２に形成されており、図２に示すように、櫛刃体１００と棒刃体２００とを閉じた状態で、棒刃体２００の刃縁２１１と櫛溝１１２との間に空隙Ｘができるようになっている。棒刃体２００の刃縁２１１には、略半円形状の凹部２１２と直線部２１１ａとが交互に形成されている。
【００１８】
図３には棒刃体２００の刃部２１０が示されている。凹部２１２は、櫛刃体１００と棒刃体２００とを閉じたときに、櫛歯１１１の先端部１１１ａが重なる位置に形成されており、その開口幅は櫛歯１１１の先端部１１１ｂの幅よりも狭く形成されている。そして、刃縁２１１には、凹部２１２の内部にのみ刃２１３が形成されており、直線部分２１１ａには刃が形成されておらず、面取り加工のみがされている。
【００１９】
図４には、梳鋏１０により、髪がカットされるときの様子が示されている。カットは櫛刃体１００と棒刃体２００との間に髪束をくわえた状態にして、櫛刃体１００と棒刃体２００とを閉じることによって行われるが、このとき、櫛歯１１１によって髪束はカットされる髪と、カットされない髪とに振り分けられる。つまり、髪束は櫛歯１１１の先端部１１１ｂで捉えられた髪と、櫛歯１１１の先端部１１１ｂから逃げて櫛溝１１２に振り分けられた髪とに分けられる。そして、櫛歯１１１の先端部１１１ｂに捉えられた髪は、櫛歯１１１と凹部２１２とが重なり始めるとともに櫛歯１１１の先端部１１１ｂに形成される刃１１３と、棒刃体２００の凹部２１２に形成された刃２１３との双方によって剪断されることとなる。一方、櫛溝１１２に振り分けられた髪は、櫛歯１１１の刃１１３及び凹部２１２の刃２１３のいずれにも接触しないのでカットされることがない。
【００２０】
そして、櫛刃体１００と棒刃体２００とを閉じきってカットを終えた後は、カットされずに残った髪を櫛溝１１２から引き抜くようにして梳鋏１０を移動させるのであるが、このとき、櫛溝１１２と相俟って空隙Ｘを形成する棒刃体１００の刃縁２１１の直線部２１１ａには刃が形成されていないので、櫛溝１１２に残った髪が刃に触れることがない。
【００２１】
このように、本実施例に係る梳鋏１０は、棒刃体２００の刃縁２１１のうち櫛歯１１１の先端部１１１ｂと重なり合う位置に凹部２１２を形成し、この凹部２１２の内部にのみ刃２１３を形成したものであり、これにより櫛歯１１１と凹部２１２とで捉えられた髪だけを切れ味を損なわずにカットできる。また、棒刃体２００の刃縁２１１には凹部２１２にのみ刃２１３が形成され、直線部２１１ａには刃が形成されないので、櫛溝１１２に入り込んでカットされなかった髪を、櫛溝１１２から引き抜いて梳鋏１０を移動するときにも、髪が刃に触れて傷つくことがない。
【００２２】
尚、上記実施例では、凹部の形状を略半円形としているが、これに限定されるものではなく、例えば、図５に示すような略矩形状の凹部としてもよいし、図６に示すような略三角形状の凹部としてもよい。また、櫛歯の形状も直線状に限られるものではなく、例えば、図７に示すように、櫛歯１１１を枢着軸３００を中心とした同心円弧状に形成してもよい。また、櫛歯の先端部の形状も図８（イ）〜（ハ）に示すように、先端部の一端に凸部を形成した山型状に形成してもよいし、図８（ニ）に示すように、面取り加工を行っても良い。
【図面の簡単な説明】
【００２３】
【図１】実施例１に係る梳鋏を開いた状態で示した正面図である。
【図２】図１の梳鋏のＡ−Ａ部分拡大図である。
【図３】実施例１に係る梳鋏の棒刃体の刃部の斜視図である。
【図４】実施例１に係る梳鋏で髪がカットされる状態を示した図である。
【図５】実施例１の係る梳鋏の棒刃体の刃部の他の実施形態を示した斜視図である。
【図６】実施例１の係る梳鋏の棒刃体の刃部の他の実施形態を示した斜視図である。
【図７】実施例１に係る梳鋏の他の実施形態を示した正面図である。
【図８】実施例１に係る梳鋏の櫛歯の先端部の他の実施形態を示した図である。
【図９】従来の梳き鋏を開いた状態で示した正面図である。
【図１０】従来の梳き鋏で髪がカットされる状態を示した図である。
【図１１】梳鋏を閉じた状態で、髪が櫛溝に入り込んだ状態を示した図である。
【符号の説明】
【００２４】
１０  梳鋏
１００  櫛刃体
１１１  櫛歯
１１１ｂ  先端部
１１２  櫛溝
２００  棒刃体
２１１  刃縁
２１２  凹部
２１３  刃
【図１】
2007244548.tif 000003
【図２】
2007244548.tif 000004
【図３】
2007244548.tif 000005
【図４】
2007244548.tif 000006
【図５】
2007244548.tif 000007
【図６】
2007244548.tif 000008
【図７】
2007244548.tif 000009
【図８】
2007244548.tif 000010
【図９】
2007244548.tif 000011
【図１０】
2007244548.tif 000012
【図１１】
2007244548.tif 000013